(57)【要約】【課題】本発明は加熱空気により生ごみを間接的に加熱するタイプの生ごみ処理装置に関し、異臭の発生を抑えつつ効率的な加熱を行いうるようにすることを目的とする。【解決手段】  送風ファン２０からの空気は電気ヒータ２６を通過することにより加熱空気とされ、空気加熱室１６に導入され、攪拌羽根１２により攪拌された処理槽１０内の生ごみは空気加熱室１６における加熱空気による間接加熱によって均等に加熱される。処理槽１０での生ごみの加熱中に生ごみより生じた臭気ガスは外気導入通路１８を通過する外気と共にヒータ２６で加熱を受けることで触媒の活性温度まで高められ、触媒装置２８で脱臭される。【選択図】  図１
2005103344.tif 000002
【特許請求の範囲】
【請求項１】
生ごみを収容しかつ乾燥するための処理槽と、前記処理槽の外周側に設けられ、加熱空気により処理槽内の生ごみを間接加熱する空気加熱室と、一端が外気に開口しその下流側が処理槽における乾燥中の生ごみより上方の空間に開口し、他端が空気加熱室に開口する外気導入通路と、一端が処理槽に開口し他端が外部に開口する空気排出通路と、外気導入通路から空気加熱室および空気排出通路を介し外気への空気の流れを形成する空気流形成手段と、外気導入通路に設けられ外気と共に生ごみより生じたガスを空気加熱室に導入するに先立って加熱する加熱手段と、加熱手段と空気加熱室との間に設置された脱臭用の触媒装置とを具備して構成されたことを特徴とする生ごみ処理装置。
【請求項２】
請求項１に記載の発明において、前記空気流形成手段は外気導入通路の前記一端側に設置された送風ファンであることを特徴とする生ごみ処理装置。
【請求項３】
請求項１もしくは２に記載の発明において、前記加熱手段は電気ヒータであることを特徴とする生ごみ処理装置。
【請求項４】
請求項１から３のいずれか一項に記載の発明において、外気導入通路の前記他端は空気加熱室のにみ開口し、加熱空気による間接加熱のみにより生ごみの加熱を行うことを特徴とする生ごみ処理装置。
【発明の詳細な説明】
【技術分野】
【０００１】
この発明は加熱空気により生ごみを間接的に加熱するタイプの生ごみ処理装置に関するものである。
【背景技術】
【０００２】
加熱空気により生ごみの乾燥を行うタイプの生ごみ処理装置では、処理槽内の生ごみに加熱空気を直接導入することにより生ごみの乾燥を行うものが多かった。しかしながら、生ごみの直接加熱を行うと、生ごみを均一に加熱することが困難で、局部的な炭化が生じているのに部分的には未乾燥といった、加熱斑が生じ易く、均一な加熱が行えない、という問題点があった。そこで、加熱空気による間接加熱を行うものがある。加熱空気は、外気を燃料の燃焼により生じた燃料ガスと熱交換することにより得られ、加熱空気は処理室の周囲の間接加熱室に導入される。そして、生ごみの乾燥中の処理室からの空気は燃焼用空気とされその中の水蒸気の如き異臭成分は燃料と一緒に燃やされ、臭気の発生を抑えるようにしている（特許文献１）。
【０００３】
【特許文献１】特開平９−２２９５５６号公報
【発明の開示】
【発明が解決しようとする課題】
【０００４】
従来技術では加温空気を得るため燃料を燃焼しているが、そのときの燃焼用空気を生ごみの乾燥中の処理室から得ているため、臭気成分を燃料と一緒に燃焼させることにより、処理室の空気をそのまま外部に排出したとすると起こりえる異臭の発生を抑制している。しかしながら、生ごみ処理室から得られる空気には少なからぬ水蒸気が含まれるため、燃焼用空気としては適当ではなく、燃焼効率が良くなく、効率的な加熱を行い得ない問題がありまた不完全燃焼により臭気が発生する恐れがあった。この発明はかかる従来技術の問題点に鑑みてなされたものであり、異臭の発生を抑えつつ効率的な加熱を行いうるようにすることを目的とする。
【課題を解決するための手段】
【０００５】
請求項１に記載の発明によれば、生ごみを収容しかつ乾燥するための処理槽と、前記処理槽の外周側に設けられ、加熱空気により処理槽内の生ごみを間接加熱する空気加熱室と、一端が外気に開口しその下流側が処理槽における乾燥中の生ごみより上方の空間に開口し、他端が空気加熱室に開口する外気導入通路と、一端が処理槽に開口し他端が外部に開口する空気排出通路と、外気導入通路から空気加熱室および空気排出通路を介し外気への空気の流れを形成する空気流形成手段と、外気導入通路に設けられ外気と共に生ごみより生じたガスを空気加熱室に導入するに先立って加熱する加熱手段と、加熱手段と空気加熱室との間に設置された脱臭用の触媒装置とを具備して構成されたことを特徴とする生ごみ処理装置が提供される。
【０００６】
請求項２に記載の発明によれば、請求項１に記載の発明において、前記空気流形成手段は外気導入通路の前記一端側に設置された送風ファンであることを特徴とする生ごみ処理装置が提供される。
【０００７】
請求項３に記載の発明によれば、請求項１もしくは２に記載の発明において、前記加熱手段は電気ヒータであることを特徴とする生ごみ処理装置が提供される。
【０００８】
請求項４に記載の発明によれば、請求項１から３のいずれか一項に記載の発明において、外気導入通路の前記他端は空気加熱室のにみ開口し、加熱空気による間接加熱のみにより生ごみの加熱を行うことを特徴とする生ごみ処理装置が提供される。
【発明の効果】
【０００９】
請求項１の発明の作用・効果を説明すると、空気流形成手段は外気導入通路、加熱手段、触媒装置を介して空気加熱室への加熱外気の流れを形成し、処理槽における生ごみの間接加熱を行う。加熱により生ごみから出た水蒸気に含まれる臭い成分ガスは加熱手段により事前に加熱され活性温度に達した後触媒装置により処理されるため、理想的な脱臭を行うことができ、また、加熱装置は外気の加熱と脱臭のための臭い成分ガスの加熱とを兼用しており、１個のヒータで済ませることができ、構造的にシンプルとなり処理性能を犠牲にすることなくコスト減を実現することができる。
【００１０】
請求項２の発明の作用・効果を説明すると、送風ファンにより外気および加熱により生ごみから出た水蒸気に含まれる臭い成分ガスを効率的に送ることができる。
【００１１】
請求項３の発明の作用・効果を説明すると、電気ヒータにより不完全燃焼のおそれなく生ごみから出た水蒸気に含まれる臭い成分ガスを触媒の活性温度まで加熱することができる。
【００１２】
請求項４の発明の作用・効果を説明すると、生ごみの加熱は空気による間接加熱のみにより行われ、炭化のおそれなく均等な斑のない加熱を実施することができる。
【発明を実施するための最良の形態】
【００１３】
以下この発明の生ごみ処理装置の実施形態を説明すると、図１において、１０は生ごみを収容しかつ乾燥するための処理槽であり、処理槽１０は上蓋１１により上面が完全閉鎖される。処理槽１０の内部には攪拌羽根１２が配置され、攪拌羽根１２は回転軸１４上に複数設けられ、回転軸１４の両端は処理槽１０の側壁に図示しない軸受によって軸支されると共に図示しない回転駆動用電動モータに連結されている。前記処理槽１０の下部前面外周には加熱空気により処理槽１０内の生ごみを間接加熱する空気加熱室１６が形成される。外気導入通路１８は一端に送風ファン２０が設けられ、送風ファン２０は外気を吸引し、吸引された外気は矢印ａのように外気導入通路１８に導入される。送風ファン２０の下流の部位で外気導入通路１８に処理槽１０における生ごみＧより上方の空間２２が開口しており、処理槽１０における生ごみＧの乾燥中に生ごみより生じた水蒸気および臭気成分ガスは矢印ｂのように外気導入通路１８に導入され、外気と共に矢印ｃのようにヒータ側に送られる。外気導入通路１８の下流側端部は空気加熱室１６に接続される。また、２４は排出通路であり、排出通路２４は一端は空気加熱室１６に接続され、他端２４Ａは外気に開口している。
【００１４】
電気ヒータ２６は外気導入通路１８における空気加熱室１６に近接した部位に配置され、外気と共に生ごみより生じたガス（矢印ｄ）を空気加熱室１６に導入するに先立って加熱する。電気ヒータ２６の下流側において外気導入通路１８に触媒装置２８が設けられ、触媒装置２８は例えば白金系の触媒を含み、生ごみの加熱中に生じた臭い成分ガスと反応し、脱臭を行うべく機能し、脱臭後に矢印ｅのように空気加熱室１６に導入する。
【００１５】
図１において処理槽１０の片側の側壁の下部には乾燥完了後の生ごみを取り出すための開口部３２が形成される。この開口部３２は通常は蓋によって閉鎖されているが、生ごみ乾燥工程が終了すると攪拌羽根１２が回転することによりそれが乾燥生ごみを軸線方向に移動せしめることにより生ごみを図示しない内蔵型の回収ボックスに採集し、蓋を開けることにより回収ボックスを引出し、乾燥後の生ごみを簡便に取り出すことができるようになっている。
【００１６】
送風ファン２０からの空気は外気導入通路１８より電気ヒータ２６を通過時に３００〜４００℃といった温度に加熱され、触媒装置２８を介して矢印ｅのように空気加熱室１６に導入され、矢印ｆのように排出通路２４から排出される。攪拌羽根１２により攪拌された空気加熱室１６内の生ごみは空気加熱室１６における加熱空気による間接加熱によって局部的過熱による炭化などを生ずることなく均等な加熱を受けることができ、６〜８時間といった時間かけて５〜１５％といった水分率まで乾燥される。処理槽１０での生ごみの加熱中に生ごみより生じた臭気ガスは外気導入通路１８を通過する外気と共にヒータで加熱を受けることで触媒の活性温度まで高められ、触媒装置２８で臭気成分を効率的に除去することができる。そのため、排出通路２４からの排気ガスに異臭が生ずることはない。
【００１７】
この発明の生ごみ処理装置では処理槽１０内の生ごみは処理槽１０の外側の空気加熱室１６における加熱空気により間接的にのみ加熱されるため、生ごみを均一に斑なく加熱・加熱することができ、局部的な過熱が起こらないため炭素分の混入が少なく、リサイクル面での肥料等の使用に適したものとすることができる。また、処理槽１０において生ごみの乾燥中に生じた水蒸気およびそれに含まれる臭気ガス成分は全量が送風ファン２０からの空気と共にヒータ２６で加熱後触媒２８を通される、活性温度を呈しているため触媒２８によって効率的に除去することができる。また、生ごみの加熱により生じた臭気ガス成分の加熱と生ごみの乾燥のための加熱とを一つのヒータ２６で共用しているため、効率的な加熱を行うことができる。また、かつ白金触媒よりなる触媒２８での臭気ガス成分との反応はそれ自体で発熱し、幾分でも空気の温度を高めることに寄与させることができる。
【図面の簡単な説明】
【００１８】
【図１】図１はこの発明の生ごみ処理装置の概略的断面図である。
【符号の説明】
【００１９】
１０…処理槽
１１…上蓋
１２…攪拌羽根
１４…回転軸
１６…空気加熱室
１８…外気導入通路
２０…送風ファン
２４…排出通路
２６…電気ヒータ
２８…触媒装置
【図１】
2005103344.tif 000003